(57)【要約】【課題】スライド部材のスライド方向と直交する方向の寸法を小型化すること。【解決手段】収納部を有するケース２と、ケース２内をスライド移動可能に設けられたスライド部材５と、スライド部材５のスライド移動を検出するスライド移動検出手段と、スライド部材５のスライド移動に伴って当該スライド部材５に設けた係合片５３ａと係脱する係合突部４１を備えた板ばね４と、スライド部材５のスライド移動に伴って弾性変形してスライド部材５を操作前の状態に復帰させるコイルばね３とを備え、板面が収納部の内底面と交差するように板ばね４を配置すると共に、コイルばね３の圧縮方向における延長線上に板ばね４の係合突部４１の一部を突出させたことを特徴とする。【選択図】図９
2010135252.tif 000002
【特許請求の範囲】
【請求項１】
収納部を有するケースと、このケース内をスライド移動可能に設けられたスライド部材と、このスライド部材のスライド移動を検出するスライド移動検出手段と、前記スライド部材のスライド移動に伴って当該スライド部材に設けた係合部と係脱する係合突部を備えた板ばねと、前記スライド部材のスライド移動に伴って弾性変形して当該スライド部材を操作前の状態に復帰させるコイルばねとを具備し、板面が前記収納部の内底面と交差するように前記板ばねを配置すると共に、前記コイルばねの圧縮方向における延長線上に前記板ばねの前記係合突部の少なくとも一部を突出させたことを特徴とするスライド型電気部品。
【請求項２】
前記スライド部材に埋設した第１の金属板の一部で前記係合部を構成すると共に、一部に前記係合突部が形成された第２の金属板で前記板ばねを構成したことを特徴とする請求項１記載のスライド型電気部品。
【請求項３】
前記第１の金属板の一部を折り曲げた係合片で前記係合部を構成し、当該係合片の一側端部で金属線材からなる前記コイルばねを圧縮するように駆動することを特徴とする請求項２記載のスライド型電気部品。
【請求項４】
前記スライド部材は、前記係合部が前記コイルばねの一端と前記板ばねの前記係合突部との間に配置された第１状態を基準として、一方向へスライド移動すると前記コイルばねが圧縮される第２状態となる一方、他方向へスライド移動すると前記係合部が前記係合突部と係脱して第３状態となり、前記係合部の側端部が前記係合突部と当接可能に対向して前記第３状態に保持されることを特徴とする請求項２又は請求項３記載のスライド型電気部品。
【請求項５】
前記収納部は、前記内底面に立設された隔壁により区画される第１収納部と第２収納部とを有し、前記第１収納部に前記スライド移動検出手段を収納する一方、前記第２収納部に前記コイルばね及び板ばねを収納したことを特徴とする請求項２から請求項４のいずれかに記載のスライド型電気部品。
【請求項６】
前記スライド移動検出手段は、前記第１収納部の内底面から露出する固定接点又は導電パターンと、前記スライド部材に設けられ、前記固定接点又は導電パターンと摺接する可動接点とから構成されることを特徴とする請求項５記載のスライド型電気部品。
【請求項７】
前記第１の金属板は、前記スライド部材のスライド移動方向に沿って当該スライド部材の一端から他端に亘って延設されることを特徴とする請求項２から請求項６のいずれかに記載のスライド型電気部品。
【請求項８】
前記第１の金属板の一部を、前記収納部を蓋閉するカバー部材と前記隔壁の端面との間に配置し、当該前記第１の金属板の一部で前記スライド部材がスライド移動可能に案内されることを特徴とする請求項５又は請求項６記載のスライド型電気部品。
【発明の詳細な説明】
【技術分野】
【０００１】
本発明は、スライド型電気部品に関し、特に、携帯ゲーム機などの電源のオン／オフを切り替えるためのスライドスイッチ等に好適なスライド型電気部品に関する。
【背景技術】
【０００２】
従来、ケース本体とケースカバーとで画成された収容室内に、スライド部材の前後移動に応じて伸縮してスライド部材を中立位置に自動復帰させるコイルばねを設けると共に、スライド部材のスライド切り換え操作にクリック感を与える凹部及び凸部からなるクリック機構における凸部をケースカバーに設ける一方、凹部をスライド部材に設けたスライドスイッチが提案されている（例えば、特許文献１参照）。このスライドスイッチにおいては、コイルばねをスライド部材の一方の側面近傍の下方側領域でスライド方向に延出するように配置する一方、クリック機構における凹部をスライド部材の上面の中央近傍にスライド方向に沿って並べて設けている。
【特許文献１】特開２００７−３２３９４２号公報
【発明の開示】
【発明が解決しようとする課題】
【０００３】
しかしながら、上述した従来のスライドスイッチにおいては、コイルばねと、クリック機構とがスライド部材のスライド方向と直交する方向に並べて配置されることから、当該方向におけるスライドスイッチの寸法が大きくなるという問題がある。
【０００４】
本発明はかかる問題点に鑑みて為されたものであり、スライド部材のスライド方向と直交する方向の寸法を小型化することができるスライド型電気部品を提供することを目的とする。
【課題を解決するための手段】
【０００５】
本発明のスライド型電気部品は、収納部を有するケースと、このケース内をスライド移動可能に設けられたスライド部材と、このスライド部材のスライド移動を検出するスライド移動検出手段と、前記スライド部材のスライド移動に伴って当該スライド部材に設けた係合部と係脱する係合突部を備えた板ばねと、前記スライド部材のスライド移動に伴って弾性変形して当該スライド部材を操作前の状態に復帰させるコイルばねとを具備し、板面が前記収納部の内底面と交差するように前記板ばねを配置すると共に、前記コイルばねの圧縮方向における延長線上に前記板ばねの前記係合突部の少なくとも一部を突出させたことを特徴とする。
【０００６】
上記スライド型電気部品によれば、板ばねがケースの収納部の内底面と交差するように配置されると共に、コイルばねと板ばねの係合突部とがオーバーラップするように配設されることから、スライド部材の自動復帰機能とスライド操作に伴うクリック機構とを有するスライド型電気部品においても、スライド部材のスライド方向と直交する方向のケースの寸法を低減することができるので、当該方向の寸法を小型化したスライド型電気部品を提供することが可能となる。
【０００７】
本発明のスライド型電気部品においては、前記スライド部材に埋設した第１の金属板の一部で前記係合部を構成すると共に、一部に前記係合突部が形成された第２の金属板で前記板ばねを構成することが好ましい。この場合には、クリック機構を構成するスライド部材の係合部及び板ばねの係合突部の双方を金属材で構成することができるので、長期間に亘って良好なクリック感触を確保することが可能となる。
【０００８】
特に、本発明のスライド型電気部品においては、前記第１の金属板の一部を折り曲げた係合片で前記係合部を構成し、当該係合片の一側端部で金属線材からなる前記コイルばねを圧縮するように駆動することが好ましい。この場合には、クリック機構の一部として機能する第１の金属板の係合片の一側端部でコイルばねを圧縮駆動することができるので、スライド部材のスライド方向と直交する方向に必要となるケースの寸法をより低減でき、当該方向のスライド型電気部品の寸法をより小型化することが可能となる。また、第１の金属板の一部である係合片で金属線材からなるコイルばねを圧縮駆動するので、長期間に亘って精度良くスライド部材を自動復帰させることが可能となる。
【０００９】
また、本発明のスライド型電気部品において、前記スライド部材は、前記係合部が前記コイルばねの一端と前記板ばねの前記係合突部との間に配置された第１状態を基準として、一方向へスライド移動すると前記コイルばねが圧縮される第２状態となる一方、他方向へスライド移動すると前記係合部が前記係合突部と係脱して第３状態となり、前記係合部の側端部が前記係合突部と当接可能に対向して前記第３状態に保持されることが好ましい。この場合には、一方向へスライド移動させた場合にスライド部材を自動復帰させる一方、他方向へスライド移動させた場合にクリック感触を生起させながら、スライド部材をロック（ホールド）状態に保持することができるスライド型電気部品を提供することが可能となる。例えば、未使用状態の場合に第３状態（ロック（ホールド）状態）に保持することにより、不所望な操作を防止することができるスライド型電気部品を提供することが可能となる。より具体的には、本スライド型電気部品を電源スイッチに適用する場合に、誤って電源スイッチがオン状態とされる事態を防止でき、バッテリ等の消耗を回避することが可能となる。
【００１０】
さらに、本発明のスライド型電気部品において、前記収納部は、前記内底面に立設された隔壁により区画される第１収納部と第２収納部とを有し、前記第１収納部に前記スライド移動検出手段を収納する一方、前記第２収納部に前記コイルばね及び板ばねを収納することが好ましい。この場合には、スライド移動検出手段とコイルばね及び板ばねとが、それぞれ隔壁により仕切られた第１収納部と第２収納部とに収納されることから、スライド部材のスライド移動に伴ってスライド部材の係合部又は板ばねの係合突部等から摩耗粉が発生した場合においても、当該摩耗粉がスライド移動検出手段側に侵入する事態を低減できるので、信頼性に優れたスライド型電気部品を提供することが可能となる。
【００１１】
例えば、本発明のスライド型電気部品において、前記スライド移動検出手段は、前記第１収納部の内底面から露出する固定接点又は導電パターンと、前記スライド部材に設けられ、前記固定接点又は導電パターンと摺接する可動接点とから構成される。このように接触式のスライド移動検出手段を採用する場合においても、スライド部材のスライド移動に伴って発生した摩耗粉が固定接点等に対する可動接点の摺接部分に侵入する事態を防止でき、信頼性を高めることが可能となる。
【００１２】
さらに、本発明のスライド型電気部品において、前記第１の金属板は、前記スライド部材のスライド移動方向に沿って当該スライド部材の一端から他端に亘って延設されることが好ましい。この場合には、第１の金属板がスライド部材の一端から他端に亘って延設されているので、スライド部材が樹脂材料で形成され、小型化される場合においても、その強度を確保することが可能となる。
【００１３】
特に、本発明のスライド型電気部品においては、前記第１の金属板の一部を、前記収納部を蓋閉するカバー部材と前記隔壁の端面との間に配置し、当該第１の金属板の一部で前記スライド部材がスライド移動可能に案内されることが好ましい。この場合には、スライド部材のスライド移動の案内に利用される第１の金属板の一部で隔壁とカバー部材との隙間を小さくすることができるので、スライド部材のスライド移動に伴って発生した摩耗粉をスライド移動検出手段側に侵入し難くすることができ、より信頼性を高めることが可能となる。
【発明の効果】
【００１４】
本発明によれば、板ばねがケースの収納部の内底面と交差するように配置されると共に、コイルばねと板ばねの係合突部とがオーバーラップするように配設されることから、スライド部材の自動復帰機能とスライド操作に伴うクリック機構とを有するスライド型電気部品においても、スライド部材のスライド方向と直交する方向のケースの寸法を低減することができるので、当該方向の寸法を小型化したスライド型電気部品を提供することが可能となる。
【発明を実施するための最良の形態】
【００１５】
以下、本発明の一実施の形態について添付図面を参照して詳細に説明する。本発明に係るスライド型電気部品は、例えば、携帯ゲーム機などの電源のオン／オフを切り替えるためのスライドスイッチに好適に利用される。以下においては、本実施の形態に係るスライド型電気部品をスライドスイッチに適用する場合について説明するが、本実施の形態に係るスライド型電気部品が適用される対象についてはこれに限定されるものではなく、適宜変更が可能である。
【００１６】
図１は、本発明の一実施の形態に係るスライド型電気部品としてのスライドスイッチ１の分解斜視図である。図２及び図３は、本実施の形態に係るスライドスイッチ１の外観を示す斜視図である。図４は、本実施の形態に係るスライドスイッチ１が有するケース２の上面図（平面図）である。なお、図２においては、後述するスライド部材５の操作部５２の反対側から見た斜視図を示し、図３においては、スライド部材５の操作部５２側から見た斜視図を示している。また、以下においては、説明の便宜上、図１に示す右下方側をスライドスイッチ１の右方側と呼び、同図に示す左上方側をスライドスイッチ１の左方側と呼ぶものとする。
【００１７】
図１に示すように、本実施の形態に係るスライドスイッチ１は、スイッチ本体の底面及び側面を構成するケース２と、このケース２の所定位置に収納されるコイルばね３、板ばね４及びスライド部材５と、これらの部材を収納した状態のケース２に被せられ、スイッチ本体の上面を構成するカバー部材６とを備えて構成されている。
【００１８】
ケース２は、例えば、絶縁性の樹脂材料で成形され、概して扁平な直方体形状を有している。ケース２には、上方側に開口した収納部が設けられている。この収納部は、特に図４に示すように、ケース２の内底面にケース２の長手方向に沿って立設された隔壁２１により区画された第１収納部２２及び第２収納部２３で構成されている。また、第２収納部２３は、ケース２の内底面にケース２の長手方向に沿って立設された仕切り壁２４により仕切られた第１ばね収納部２５及び第２ばね収納部２６で構成されている。第１収納部２２には、その一部を側方側に突出した状態でスライド部材５が収納される。第２収納部２３の第１ばね収納部２５には、コイルばね３が収納され、第２ばね収納部２６には、板ばね４が収納される。
【００１９】
上述した仕切り壁２４の中央には切欠き部２４ａが形成されており、仕切り壁２４は、ケース２の長手方向に沿って２つに分割されている。なお、この切欠き部２４ａは、後述する板ばね４の係合突部４１の一部を、第１ばね収納部２５に収納されたコイルばね３の圧縮方向の延長線上の位置へ突出させるために設けられている。第１ばね収納部２５は、このように分割されている仕切り壁２４に対応して、スライド部材５のスライド方向（ケース２の長手方向）に沿って設けられた一対のばね収納部で構成されている。以下においては、スライドスイッチ１の右方側の第１ばね収納部２５にのみコイルばね３を収納する場合について説明するが、スライドスイッチ１の仕様に応じて左方側の第１ばね収納部２５にのみコイルばね３を収納するようにしても良い。
【００２０】
第１収納部２２の内底面には、スライド移動検出手段の一部を構成する複数の固定接点２７がその一部を露出するように埋設されている（図４参照）。これらの固定接点２７は、スライド部材５のスライド方向に沿って所定間隔を有して配置されており、後述するスライド部材５に設けられた可動接点７と摺接することでスライド部材５のスライド移動を検出可能に構成されている。
【００２１】
ここで、ケース２に埋設される固定接点２７の構成について説明する。図５は、本実施の形態に係るスライドスイッチ１が有するケース２に埋設される固定接点２７の上面図である。図５に示すように、固定接点２７は、同図に示す中央近傍に配置された共通固定接点２７ａと、この共通固定接点２７ａの右方側に配置される中央固定接点２７ｂと、この中央固定接点２７ｂの右方側に配置される右方側固定接点２７ｃと、共通固定接点２７ａの左方側に配置される左方側固定接点２７ｄとを有している。これらの固定接点２７は、ケース２の内底面の内部を引き回されると共に、その一端がケース２の長辺を構成する側壁２ａ（図１に示す手前側の側壁）の中央近傍から導出され、スライド部材５のスライド移動状態に応じた信号を外部出力できるように構成されている。
【００２２】
第１収納部２２は、このように固定接点２７が埋設された内底面と、隔壁２１の一面と、内底面の側端部から上方側に立設された側壁２ｂ（図１に示す奥側の側壁）の内壁面と、ケース２の短辺を構成する一対の側壁２ｃ、２ｄの内壁面とで形成される空間で構成されている。側壁２ｂの中央近傍には、後述するスライド部材５の操作部５２をスライド移動可能に露出させる開口部２ｅが設けられている。また、一対の側壁２ｃ、２ｄにおける第１収納部２２に対応する外壁面には、後述するカバー部材６の脚部６２を収容する溝部２ｆ、２ｇが設けられている。
【００２３】
第２収納部２３の一対の第１ばね収納部２５は、隔壁２１を挟んで第１収納部２２の反対側の位置に設けられ、それぞれケース２の内底面と、隔壁２１の一面と、側壁２ｃ、２ｄの内壁面と、仕切り壁２４の一面とで形成される空間で構成されている。仕切り壁２４における切欠き部２４ａ側の端部には、僅かに隔壁２１側に屈曲した屈曲部２４ｂ、２４ｃが設けられ、これらに対応する隔壁２１の位置に設けられた突出片２１ａ、２１ｂと共にコイルばね３の内側一端を係止するように構成されている。なお、これらの屈曲部２４ｂ、２４ｃと、突出片２１ａ、２１ｂとの間には、後述するスライド部材５の係合片５３ａが通過できる隙間２４ｄ、２４ｅが設けられている。
【００２４】
第２収納部２３の第２ばね収納部２６は、仕切り壁２４を挟んで第１ばね収納部２５の反対側の位置に設けられ、ケース２の内底面と、内底面の側端部から上方側に立設された側壁２ａの内壁面と、側壁２ｃ、２ｄの内壁面と、仕切り壁２４の一面とで形成される空間で構成されている。側壁２ａの中央には、上方側に開口し、後述するカバー部材６の突出壁６４を収容する開口部２ｈが設けられている。また、この開口部２ｈの外側に配置された側壁２ａの外壁面には、後述するカバー部材６の係合腕部６３と係合する一対の係合片２ｉ、２ｊが設けられている。これらの係合片２ｉ、２ｊは、側壁２ｂにも設けられている（図１に不図示、図３参照）。なお、これらの係合片２ｉ、２ｊの表面には、テーパが設けられており、簡単にケース２に対してカバー部材６を取り付けられるように構成されている。また、側壁２ａの内壁面には、スライド部材５のスライド移動に伴って板ばね４が変形する領域を確保するために開口部２ｈに向かって傾斜面２ｋが設けられている。
【００２５】
コイルばね３は、金属線材から構成され、スライドスイッチ１の右方側の第１ばね収納部２５に収納される。コイルばね３は、第１ばね収納部２５内において、上述のように内側の一端が屈曲部２４ｃ及び突出片２１ｂで係止される一方、他端が側壁２ｄの内壁面で係止された状態となっている。詳細について後述するように、コイルばね３は、スライド部材５のスライド移動に伴って弾性変形してスライド部材５をスライド操作前の状態に自動復帰させる役割を果たす。
【００２６】
板ばね４は、長尺形状を有する金属製の板状部材（第２の金属板）を折り曲げることで形成されている。板ばね４の中央には、第２ばね収納部２６に収納された状態で隔壁２１側に突出するように係合突部４１が設けられている。この係合突部４１は、後述するスライド部材５の係合片５３ａと係脱してクリック感触（節度感触）を生起させるクリック機構の一部として機能する。板ばね４は、その板面がケース２の内底面と略直交状態で交差するように第２ばね収納部２６に収納されており、特に、係合突部４１が仕切り壁２４の切欠き部２４ａからコイルばね３の圧縮方向の延長線上の位置へ突出するように配置されている。このため、ケース２においては、コイルばね３と係合突部４１とがオーバーラップして配設できるものとなっている。
【００２７】
スライド部材５は、例えば、絶縁性の樹脂材料で成形され、ケース２の長手方向に延在する本体部５１と、この本体部５１の中央部からスライド部材５のスライド方向と直交する方向に突出する操作部５２とを有している。本体部５１の上面には、金属製の板状部材５３（第１の金属板）が埋め込まれている。この板状部材５３には、その中央よりも僅かに右方側の位置に、板ばね４の係合突部４１と係合する係合部として機能する係合片５３ａが設けられている。係合片５３ａは、スライド部材５が第１収納部２２に収納された状態において、コイルばね３側に突出すると共に、その先端部を下方側に折り曲げて構成されている。この係合片５３ａは、スライド部材５のスライド移動に伴ってコイルばね３を圧縮するばね駆動部として機能する一方、板ばね４の係合突部４１と係脱してクリック感触（節度感触）を生起させるクリック機構の一部として機能する。
【００２８】
このように本実施の形態に係るスライドスイッチ１においては、クリック機構を構成するスライド部材５の係合片５３ａ及び板ばね４の係合突部４１を金属材料で構成している。これにより、スライド部材５のスライド移動に伴ってこれらの部材が摩耗し難くすることができるので、長期間に亘って良好なクリック感触を確保することが可能となっている。
【００２９】
特に、本実施の形態に係るスライドスイッチ１においては、クリック機構の一部として機能する係合片５３ａの一側端部でコイルばね３を圧縮駆動することができるので、スライド部材５のスライド方向と直交する方向に必要となるケース２の寸法を低減でき、当該方向のスライドスイッチ１の寸法の小型化に寄与するものとなっている。また、係合片５３ａで金属線材からなるコイルばね３を圧縮駆動するようにしているので、長期間に亘って精度良くスライド部材５を自動復帰させることができるものとなっている。
【００３０】
また、スライド部材５の本体部５１の下面には、導電性を有する板状の金属材料で形成された可動接点７が取り付けられる。したがって、可動接点７は、本体部５１を介して板状部材５３と対向配置されるものとなる。可動接点７は、スライド移動検出手段の一部を構成するものであり、スライド部材５に固定される固定部７１と、この固定部７１からスライド部材５のスライド方向に延出する一対の腕部７２ａ、７２ｂとを有している。これらの腕部７２ａ、７２ｂは、弾性を有する摺動子を構成し、その先端部が僅かに下方側に延出するように設けられている。可動接点７は、固定部７１でスライド部材５に固定され、スライド部材５と一体的にスライド移動可能に構成されている。そして、スライド部材５がスライド移動すると、腕部７２ａ、７２ｂの先端がケース２の固定接点２７に摺接するように構成されている。
【００３１】
ここで、スライド部材５の構成について説明する。図６及び図７は、本実施の形態に係るスライドスイッチ１が有するスライド部材５の構成を説明するための斜視図である。図６においては、スライド部材５を上方側から見た斜視図を示し、説明の便宜上、板状部材５３が埋め込まれる前の状態について示している。図７においては、スライド部材５を下方側から見た斜視図を示し、説明の便宜上、可動接点７を取り付ける前の状態について示している。
【００３２】
図６に示すように、スライド部材５に埋め込まれる板状部材５３は、スライド部材５の本体部５１の一端から他端に亘って延在する固定部５３ｂと、この固定部５３ｂから操作部５２側に突出する突出部５３ｃとから構成されている。固定部５３ｂ及び突出部５３ｃの所定位置には、スライド部材５への確実な埋設を確保するための複数の固定片５３ｄが下方側に延出して設けられている。板状部材５３は、その上面と操作部５２の上面とが同一平面上に配置されるように、スライド部材５の成形時に本体部５１の上面に重ねるようにして埋め込まれる。
【００３３】
このように本実施の形態に係るスライドスイッチ１においては、板状部材５３をスライド部材５のスライド移動方向に沿ってその一端から他端に亘って延設することにより、樹脂材料で構成されるスライド部材５の強度を確保している。特に、このように板状部材５３を埋め込むことにより、スライド部材５が小型化される場合においても、その強度を確保でき、その動作の信頼性を高めることが可能となっている。
【００３４】
スライド部材５の本体部５１に埋め込まれた状態において、固定部５３ｂは、図７に示すように、スライド部材５の本体部５１よりも僅かに操作部５２の反対側に延出する延出部５３ｅを有している。この延出部５３ｅの下面には、スライドスイッチ１が組み立てられた状態において、隔壁２１の上端面が当接可能に対向するものとなっている。また、板状部材５３の固定部５３ｂの端部近傍、すなわち、延出部５３ｅの上面には、突起からなる一対の突出片５３ｆが設けられている。これらの突出片５３ｆは、スライドスイッチ１が組み立てられた状態において、隔壁２１の上端面の上方に位置して配設されると共に、カバー部材６の下面と当接可能に対向するものとなっている。
【００３５】
また、スライド部材５の下面には、可動接点７が収容される凹部５４がスライド部材５のスライド方向に沿って設けられている。この凹部５４の中央には、可動接点７の固定部７１が固定される円柱形状の突起からなる突出片５４ａが設けられている。そして、固定部７１に形成された孔に突出片５４ａが挿通された状態で、この突出片５４ａの先端をかしめることにより、可動接点７がスライド部材５に取り付けられる。凹部５４を構成する一方の側壁５４ｂ（操作部５２側の側壁）は、突出片５４ａよりも下方側まで延出し、スライド部材５が第１収納部２２に収納された状態において、その内底面に当接可能に対向するように構成されている。
【００３６】
本実施の形態に係るスライドスイッチ１が組み立てられた状態において、スライド部材５は、側壁５４ｂの下端部で第１収納部２２の内底面に接触すると共に、板状部材５３の延出部５３ｅの下面で隔壁２１の上端部と接触し、板状部材５３の一対の突出片５３ｆでカバー部材６の下面に接触するように構成されている。スライド操作が行われると、スライド部材５は、これらの３つの接触点で案内されながらスライド移動するように構成されている。
【００３７】
特に、本実施の形態に係るスライドスイッチ１においては、隔壁２１の上端部と、カバー部材６の下面との間に板状部材５３の延出部５３ｅが配置されるように構成されている。これにより、延出部５３ｅで隔壁２１とカバー部材６との間に形成される案内部としての隙間を小さくすることができるので、スライド部材５のスライド移動に伴って発生した摩耗粉を第１収納部２２に侵入し難くすることができ、信頼性に優れたスライドスイッチ１の動作を実現している。また、延出部５３ｅが隔壁２１の上端面と当接可能となっていることで、可動接点７の腕部７２ａ、７２ｂが過度に変形するのを防止して、適切な接点荷重が得られるようになっている。なお、スライド部材５の側壁５４ｂも同様の機能を果たすものとなっている。
【００３８】
ところで、上述したようなスライド部材５は、一対の係合片５３ａを有する板状部材５３を埋め込んでおき、スライドスイッチ１の仕様に応じて一方の係合片５３ａを切断することで製造される。図８は、一方の係合片５３ａを切断する前の板状部材５３が埋め込まれたスライド部材５の斜視図である。図８に示すように、一方の係合片５３ａが切断される前においては、スライド方向に沿って所定の間隔を空けて、板状部材５３の固定部５３ｂに一対の係合片５３ａが設けられている。本実施の形態に係るスライドスイッチ１においては、右方側の第１ばね収納部２５にコイルばね３を収納し、右方側へスライド移動させたスライド部材５を操作前の状態に復帰させる構成を採るため、図８に示す左方側の係合片５３ａが切断されている。仮に、左方側の第１ばね収納部２５にコイルばね３を収納し、左方側へスライド移動させたスライド部材５を操作前の状態に復帰させる構成を採る場合には、右方側の係合片５３ａを切断することでこのようなスライドスイッチ１に対応することができるものとなっている。
【００３９】
カバー部材６は、金属製の板状部材に打ち抜き加工及び折り曲げ加工を施すことで形成され、概して長方形状を有している。カバー部材６は、平板形状を有する上面部６１と、カバー部材６の短辺を構成する上面部６１の側面から下方側に垂下して設けられた一対の脚部６２と、カバー部材６の長辺を構成する上面部６１の側面から下方側に垂下して設けられた二対の係合腕部６３とを有している。脚部６２は、ケース２の溝部２ｆ、２ｇに収容される位置に設けられており、その下端部近傍で外側に折り曲げられている。係合腕部６３は、下端部近傍でそれぞれ内側に屈曲し、概してＬ字形状（逆Ｌ字形状）を有している。また、カバー部材６の一方の長辺を構成する上面部６１の側面には、その中央部近傍から下方側に垂下する突出壁６４が設けられている。この突出壁６４は、ケース２の側壁２ａに設けられた開口部２ｈに収容され、側壁２ａから埃などが侵入するのを防止する役割を果たす。
【００４０】
このような構成を有するスライドスイッチ１を組み立てると、図２及び図３に示すように、操作部５２を外部に突出させた状態でスライド部材５がケース２内に収納され、その上方側からカバー部材６がケース２に取り付けられる。この場合において、カバー部材６は、図２及び図３に示すように、脚部６２がケース２の溝部２ｆ、２ｇに収容されると共に、突出壁６４がケース２の開口部２ｈに収容された状態で、係合腕部６３がケース２の係合片２ｉ、２ｊの下方側に入り込むことでケース２に固定される。なお、ケース２の側壁２ａ、２ｂに設けられた係合片２ｉ、２ｊの表面にはテーパが設けられているので、上方側からカバー部材６を押し込むだけで簡単に係合腕部６３を係合片２ｉ、２ｊの下方側に入り込ませることができるものとなっている。脚部６２の下端部は、ケース２の側面から外側に突出した状態となっており、スライドスイッチ１が取り付けられる対象装置に半田付け等が可能となっている。
【００４１】
ここで、このように組み立てられたスライドスイッチ１の内部の構成について説明する。図９及び図１０は、本実施の形態に係るスライドスイッチ１の斜視図及び上面図である。なお、図９及び図１０においては、説明の便宜上、スライドスイッチ１からカバー部材６を取り外した状態について示している。また、図９及び図１０においては、スライド部材５の初期状態、すなわち、スライド操作が行われていない状態について示している。
【００４２】
図９及び図１０に示すように、スライド部材５は、ケース２の側壁２ｂに設けられた開口部２ｅから操作部５２を突出させた状態で本体部５１がケース２の第１収納部２２に収納されている。この場合、板状部材５３の延出部５３ｅが隔壁２１の上端部に載置されて状態となっており、係合片５３ａが第２収納部２３側に突出した状態となっている。ここで、上述したように、隔壁２１の上端部とカバー部材６の上面部６１の下面との間には、延出部５３ｅを構成する金属板を通すだけの僅かな隙間が形成されている。そして、この隙間によって、板状部材５３の延出部５３ｅが案内されることで、スライド部材５がスライド移動するものとなっている。なお、スライド部材５のスライド移動をより円滑にするために、延出部５３ｅには、隔壁２１の上端部に対応する位置に複数の突出片５３ｆが形成されたものとなっている。コイルばね３は、第２収納部２３の右方側の第１ばね収納部２５に収納され、板ばね４は、第２収納部２３の第２ばね収納部２６に収納されている。この場合、板ばね４は、係合突部４１を仕切り壁２４の切欠き部２４ａを介して隔壁２１側に突出した状態で収納されており、係合突部４１の一部がコイルばね３の圧縮方向の延長線上の位置に配置されている。図９及び図１０に示すスライド部材５の初期状態においては、係合片５３ａは、係合突部４１及びコイルばね３によって挟持され、仕切り壁２４の屈曲部２４ｃと隔壁２１の突出片２１ｂとの間の隙間２４ｅに配置された状態となっている。このように係合片５３ａを係合突部４１及びコイルばね３によって挟持していることから、初期状態においてスライド部材５がガタつくことが防止されている。なお、初期状態において、スライド部材５に固定された可動接点７の腕部７２ａ、７２ｂは、それぞれ共通固定接点２７ａ、中央固定接点２７ｂに接触した状態となっている。
【００４３】
本実施の形態に係るスライドスイッチ１においては、第１収納部２２にスライド移動検出手段を構成する固定接点２７及び可動接点７を収納する一方、第２収納部２３にコイルばね３及び板ばね４を収納している。これにより、スライド移動検出手段とコイルばね３及び板ばね４とが、それぞれ隔壁２１により仕切られた第１収納部２２と第２収納部２３とに収納されることから、スライド部材５のスライド移動に伴ってスライド部材５の係合片５３ａ又は板ばね４の係合突部４１等から摩耗粉が発生した場合においても、当該摩耗粉がスライド移動検出手段側に侵入する事態を防止できるので、信頼性に優れたスライドスイッチ１を実現することが可能となっている。
【００４４】
特に、本実施の形態に係るスライドスイッチ１においては、固定接点２７及び可動接点７で構成される接触式のスライド移動検出手段を備える場合について説明しているが、このような接触式のスライド移動検出手段を採用する場合においては特に、スライド部材５のスライド移動に伴って発生した摩耗粉が固定接点２７と可動接点７との摺接部分に侵入して接触不良が生じる事態を防止でき、信頼性を高めることが可能となっている。なお、スライド移動検出手段の構成については、これに限定されるものではなく適宜変更が可能である。例えば、第１収納部２２の内底面に設けられた抵抗体等からなる導電パターンと、スライド部材５に設けられ、この導電パターン上を摺動する可動接点としての摺動子とでスライド移動検出手段を構成するようにしても良い。
【００４５】
このように組み立てられた状態において、スライド部材５は、初期状態への自動復帰を可能としつつ、スライドスイッチ１の右方側にスライド移動可能に構成されている。また、スライド部材５は、クリック感触（節度感触）を付与しながらスライドスイッチ１の左方側にスライド移動可能に構成されると共に、左方側にスライド移動させた状態で係止可能に構成されている。このため、例えば、初期状態を基準として、スライド部材５をスライドスイッチ１の右方側にスライド移動させた状態で電源のオン／オフを切り替えると共に、スライドスイッチ１の左方側にスライド移動させた状態で電源状態の切り替えをロック（ホールド）状態とするような電源スイッチに好適に利用することができる。
【００４６】
以下、本実施の形態に係るスライドスイッチ１の動作について説明する。図１１及び図１２は、本実施の形態に係るスライドスイッチ１が有するスライド部材５を初期状態から右方側にスライド操作した場合の斜視図及び上面図である。また、図１３及び図１４は、本実施の形態に係るスライドスイッチ１が有するスライド部材５を初期状態から左方側にスライド操作した場合の斜視図及び上面図である。なお、図１１〜図１４においては、説明の便宜上、スライドスイッチ１からカバー部材６を取り外した状態について示している。
【００４７】
図９及び図１０に示す初期状態から右方側にスライド部材５がスライド操作されると、スライド部材５の係合片５３ａは、コイルばね３の付勢力に抗してコイルばね３を圧縮しながら右方側に移動する。そして、スライド部材５をスライド移動可能な限界位置までスライド移動させると、スライド部材５が図１１及び図１２に示すように、スライド部材５が第１収納部２２の最右方側の位置まで移動し、操作部５２が開口部２ｅの右方側端部近傍の側壁２ｂに当接した状態となる。この場合、スライド部材５に固定された可動接点７の腕部７２ａ、７２ｂは、それぞれ共通固定接点２７ａ、右方側固定接点２７ｃに接触した状態となっている。すなわち、初期状態から可動接点７の腕部７２ａ、７２ｂが接触する固定接点２７が切り替わるので、スライド部材５の右方側への移動を検出できるものとなっている。
【００４８】
なお、図１１及び図１２に示す状態から、操作者がスライド操作を行う手を解放すると、コイルばね３の付勢力に応じて係合片５３ａが左方側に押し戻され、スライド部材５が左方側にスライド移動する。そして、係合片５３ａの左方側端部が板ばね４の係合突部４１に到達すると、係合突部４１とコイルばね３との間で挟持された状態とされ、初期状態（図９及び図１０に示す状態）に復帰（自動復帰）することとなる。
【００４９】
一方、図９及び図１０に示す初期状態から左方側にスライド部材５がスライド操作されると、スライド部材５の係合片５３ａは、板ばね４の係合突部４１に当接し、板ばね４の付勢力に抗して係合突部４１を側壁２ａ側に退避させながら左方側に移動する。そして、係合片５３ａが係合突部４１の頂部を乗り越えると、板ばね４の付勢力に応じて係合突部４１が初期状態の位置まで復帰してスライド部材５が図１３及び図１４に示す状態となる。スライドスイッチ１においては、スライド部材５の左方側へのスライド動作に伴う板ばね４の復帰動作の際にクリック感触（節度感触）が生起されるものとなっている。この場合、スライド部材５は、開口部２ｅの左方側端部近傍の側壁２ｂにより左方側への移動が規制された状態となっている。すなわち、スライド部材５は、板ばね４の付勢力により開口部２ｅの左方側端部近傍の側壁２ｂに押し付けられた状態において位置決めされている。より具体的には、係合片５３ａの側端部が板ばね４の係合突部４１に弾接状態で当接することにより、スライド部材５が第１収納部２２の左方側に保持されるものとする。このとき、スライド部材５に固定された可動接点７の腕部７２ａ、７２ｂは、それぞれ左方側固定接点２７ｄ、共通固定接点２７ａに接触した状態となっている。すなわち、初期状態から可動接点７の腕部７２ａ、７２ｂが接触する固定接点２７が切り替わるので、スライド部材５の左方側への移動及び係止状態を検出できるものとなっている。
【００５０】
同様に、図１３及び図１４に示す状態から右方側にスライド部材５がスライド操作される場合には、スライド部材５の係合片５３ａは、板ばね４の付勢力に抗して係合突部４１を側壁２ａ側に退避させながら右方側に移動する。そして、係合片５３ａが係合突部４１の頂部を乗り越えると、板ばね４の付勢力に応じて係合突部４１が初期状態の位置まで復帰してスライド部材５が図９及び図１０に示す初期状態となる。この板ばね４の初期状態の位置への復帰動作の際にも、クリック感触（節度感触）が生起されるものとなっている。この場合、スライド部材５の係合片５３ａは、係合突部４１とコイルばね３との間で挟持された状態とされ、スライド部材５が初期状態に復帰することとなる。このとき、スライド部材５に固定された可動接点７の腕部７２ａ、７２ｂは、それぞれ共通固定接点２７ａ、中央固定接点２７ｂに接触した状態となっている。すなわち、左方側に移動した状態から可動接点７の腕部７２ａ、７２ｂが接触する固定接点２７が切り替わるので、スライド部材５の初期状態への復帰を検出できるものとなっている。
【００５１】
このように本実施の形態に係るスライドスイッチ１においては、ケース２の第２収納部２３の第２ばね収納部２６に板面が当該第２ばね収納部２６の内底面と交差するように板ばね４を配置すると共に、コイルばね３の圧縮方向における延長線上に板ばね４の係合突部４１の一部を突出させるようにしている。このため、板ばね４を収納するスペースが縮小されると共に、コイルばね３と板ばね４の係合突部４１とをオーバーラップするように配置されることから、スライド部材５の自動復帰機能とスライド操作に伴うクリック機構とを有するスライドスイッチ１においても、スライド部材５のスライド方向と直交する方向のケース２の寸法を低減することができるので、当該方向の寸法を小型化したスライドスイッチ１を提供することが可能となる。
【００５２】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【図面の簡単な説明】
【００５３】
【図１】本発明の一実施の形態に係るスライド型電気部品としてのスライドスイッチの分解斜視図である。
【図２】上記実施の形態に係るスライドスイッチの外観を示す斜視図である。
【図３】上記実施の形態に係るスライドスイッチの外観を示す斜視図である。
【図４】上記実施の形態に係るスライドスイッチが有するケースの上面図である。
【図５】上記実施の形態に係るスライドスイッチが有するケースに埋設される固定接点の上面図である。
【図６】上記実施の形態に係るスライドスイッチが有するスライド部材の構成を説明するための斜視図である。
【図７】上記実施の形態に係るスライドスイッチが有するスライド部材の構成を説明するための斜視図である。
【図８】上記実施の形態に係るスライドスイッチが有する、係合片を切断する前の板状部材が埋め込まれたスライド部材の斜視図である。
【図９】上記実施の形態に係るスライドスイッチの斜視図である。
【図１０】上記実施の形態に係るスライドスイッチの上面図である。
【図１１】上記実施の形態に係るスライドスイッチが有するスライド部材を初期状態から右方側にスライド操作した場合の斜視図である。
【図１２】上記実施の形態に係るスライドスイッチが有するスライド部材を初期状態から右方側にスライド操作した場合の上面図である。
【図１３】上記実施の形態に係るスライドスイッチが有するスライド部材を初期状態から左方側にスライド操作した場合の斜視図である。
【図１４】上記実施の形態に係るスライドスイッチが有するスライド部材を初期状態から左方側にスライド操作した場合の上面図である。
【符号の説明】
【００５４】
１  スライドスイッチ
２  ケース
２ａ〜２ｄ  側壁
２ｅ  開口部
２ｆ、２ｇ  溝部
２ｈ  開口部
２ｉ、２ｊ  係合片
２ｋ  傾斜面
２１  隔壁
２２  第１収納部
２３  第２収納部
２４  仕切り壁
２４ａ  切欠き部
２４ｂ、２４ｃ  屈曲部
２４ｄ、２４ｅ  隙間
２５  第１ばね収納部
２６  第２ばね収納部
２７  固定接点
２７ａ  共通固定接点
２７ｂ  中央固定接点
２７ｃ  右方側固定接点
２７ｄ  左方側固定接点
３  コイルばね
４  板ばね
４１  係合突部
５  スライド部材
５１  本体部
５２  操作部
５３  板状部材
５３ａ  係合片
５３ｂ  固定部
５３ｃ  突出部
５３ｄ  固定片
５３ｅ  延出部
５４  凹部
５４ａ  突出片
６  カバー部材
６１  上面部
６２  脚部
６３  係合腕部
７  可動接点
７１  固定部
７２ａ、７２ｂ  腕部
【図１】
2010135252.tif 000003
【図２】
2010135252.tif 000004
【図３】
2010135252.tif 000005
【図４】
2010135252.tif 000006
【図５】
2010135252.tif 000007
【図６】
2010135252.tif 000008
【図７】
2010135252.tif 000009
【図８】
2010135252.tif 000010
【図９】
2010135252.tif 000011
【図１０】
2010135252.tif 000012
【図１１】
2010135252.tif 000013
【図１２】
2010135252.tif 000014
【図１３】
2010135252.tif 000015
【図１４】
2010135252.tif 000016